(57)【要約】【課題】信頼性を高め得る。【解決手段】紙幣入出金機１０は、紙幣を収納する紙幣収納庫２６と、紙幣に付された固有の記番号を読み取る記番号読取部１９と、精査対象収納庫の紙幣収納庫２６から紙幣を記番号読取部１９へ搬送し記番号を読み取った後に他の紙幣収納庫２６に移動させる記番号確認処理を行う制御部１２とを設ける。【選択図】図３
2015138284.tif 000002
【特許請求の範囲】
【請求項１】
紙幣を収納する収納庫と、
前記紙幣に付された固有の識別情報を読み取る識別情報読取部と、
前記収納庫から前記紙幣を前記識別情報読取部へ搬送し前記識別情報を読み取った後に他の前記収納庫に移動させる識別情報確認処理を行う制御部と
を有する紙幣処理装置。
【請求項２】
前記制御部は、入出金取引を行う際は、前記識別情報確認処理を中断する
請求項１に記載の紙幣処理装置。
【請求項３】
前記制御部は、出金取引を行う際は、前記識別情報読取部において未だ前記識別情報が読み取られていない未精査紙幣を、既に前記識別情報が読み取られた精査済紙幣よりも優先的に前記識別情報読取部を介し外部へ排出する
請求項１に記載の紙幣処理装置。
【請求項４】
前記制御部は、入金取引を行う際は、前記識別情報読取部において未だ前記識別情報が読み取られていない未精査紙幣が収納された前記収納庫よりも、既に前記識別情報が読み取られた精査済紙幣が収納された前記収納庫へ優先的に紙幣を収納する
請求項１に記載の紙幣処理装置。
【請求項５】
前記制御部は、前記識別情報読取部において前記識別情報を読み取った後に、前記紙幣が収納されていない前記収納庫へ前記紙幣を移動させる
請求項１に記載の紙幣処理装置。
【請求項６】
前記制御部は、前記識別情報読取部において前記識別情報を読み取った後に、前記識別情報読取部において既に前記識別情報が読み取られた精査済紙幣が収納された前記収納庫へ前記紙幣を移動させる
請求項１に記載の紙幣処理装置。
【請求項７】
前記制御部は、前記識別情報読取部において前記識別情報を読み取った後に、前記識別情報読取部において未だ前記識別情報が読み取られていない未精査紙幣が収納された前記収納庫へ前記紙幣を移動させ、移動させた当該紙幣の枚数を所定の記憶部に記憶させる
請求項１に記載の紙幣処理装置。
【請求項８】
前記制御部は、前記識別情報読取部において未だ前記識別情報が読み取られていない未精査紙幣が収納された前記収納庫は前記紙幣処理装置の外部へ取り外し禁止であることを提示する
請求項１に記載の紙幣処理装置。
【請求項９】
前記制御部は、前記識別情報読取部において未だ前記識別情報が読み取られていない未精査紙幣が収納された前記収納庫を前記紙幣処理装置の外部へ取り外せない状態とする
請求項１に記載の紙幣処理装置。
【請求項１０】
前記制御部は、前記識別情報読取部において未だ前記識別情報が読み取られていない未精査紙幣が収納された前記収納庫が前記紙幣処理装置の外部へ取り外されようとした場合、当該収納庫に収納された未精査紙幣に対し前記識別情報確認処理を行う
請求項１に記載の紙幣処理装置。
【請求項１１】
前記制御部は、前記収納庫が前記紙幣処理装置の外部へ取り外されようとした場合、前記識別情報読取部において未だ前記識別情報が読み取られていない未精査紙幣が収納された前記収納庫と、前記識別情報読取部において既に前記識別情報が読み取られた精査済紙幣が収納された前記収納庫とを区別して提示する
請求項１に記載の紙幣処理装置。
【請求項１２】
紙幣に関する取引を受け付ける接客部と、
前記接客部により受け付けた前記紙幣を収納する収納庫と、
前記紙幣に付された固有の識別情報を読み取る識別情報読取部と、
前記収納庫から前記紙幣を前記識別情報読取部へ搬送し前記識別情報を読み取った後に他の前記収納庫に移動させる識別情報確認処理を行う制御部と
を有する紙幣取引装置。
【発明の詳細な説明】
【技術分野】
【０００１】
本発明は紙幣処理装置及び紙幣取引装置に関し、例えば紙幣等の媒体を投入して所望の取引を行う現金自動取引装置（ＡＴＭ）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別し記番号を読み取る鑑別部と、投入された紙幣を一時的に保留する一時保留部と、紙幣を搬送する搬送部と、金種毎に紙幣を格納する紙幣収納庫とを有するものがある。
【０００４】
このような現金自動取引装置には、一方の紙幣収納庫から鑑別部へ紙幣を搬送して当該紙幣の金種及び真偽を鑑別した後に、他方の紙幣収納庫へ当該紙幣を移動させる自動精査を行うものがある（例えば、特許文献１参照）。
【先行技術文献】
【特許文献】
【０００５】
【特許文献１】特開２０１０−１０８１６０号公報
【発明の概要】
【発明が解決しようとする課題】
【０００６】
また現金自動取引装置においては、出金用として現金自動取引装置に装填された紙幣の記番号を管理する場合、顧客が出金取引を選択して紙幣収納庫から紙幣が取り出されて鑑別部を通過した際に記番号を認識するものがある。
【０００７】
このような現金自動取引装置においては、出金取引の前に、行員により紙幣収納庫が当該現金自動取引装置の外部へ取り外されてしまった場合、当該紙幣収納庫に残留している紙幣の記番号を把握することができず、記番号の管理を行うことができなかったため、信頼性が低下してしまうおそれがあった。
【０００８】
本発明は以上の点を考慮してなされたもので、信頼性を高め得る紙幣処理装置及び紙幣取引装置を提案しようとするものである。
【課題を解決するための手段】
【０００９】
かかる課題を解決するため本発明の紙幣処理装置においては、紙幣を収納する収納庫と、紙幣に付された固有の識別情報を読み取る識別情報読取部と、収納庫から紙幣を識別情報読取部へ搬送し識別情報を読み取った後に他の収納庫に移動させる識別情報確認処理を行う制御部とを設けるようにした。
【００１０】
この紙幣処理装置は、収納庫に収納された紙幣の識別情報を迅速に把握することができる。
【００１１】
また本発明の紙幣取引装置においては、紙幣に関する取引を受け付ける接客部と、接客部により受け付けた紙幣を収納する収納庫と、紙幣に付された固有の識別情報を読み取る識別情報読取部と、収納庫から紙幣を識別情報読取部へ搬送し識別情報を読み取った後に他の収納庫に移動させる識別情報確認処理を行う制御部とを設けるようにした。
【００１２】
この紙幣取引装置は、収納庫に収納された紙幣の識別情報を迅速に把握することができる。
【発明の効果】
【００１３】
本発明によれば、収納庫に収納された紙幣の識別情報を迅速に把握することができ、かくして本発明は、信頼性を高め得る紙幣処理装置及び紙幣取引装置を実現できる。
【図面の簡単な説明】
【００１４】
【図１】現金自動取引装置の構成を示す斜視図である。
【図２】紙幣入出金機の構成を示す右側面図である。
【図３】紙幣入出金機の制御構成を示すブロック図である。
【図４】第１の実施の形態による紙幣の流れ（１）を示す右側面図である。
【図５】第１の実施の形態による紙幣の流れ（２）を示す右側面図である。
【図６】第１の実施の形態による紙幣の流れ（３）を示す右側面図である。
【図７】第１の実施の形態による紙幣の流れ（４）を示す右側面図である。
【図８】第１の実施の形態による紙幣の流れ（５）を示す右側面図である。
【図９】第１の実施の形態による紙幣の流れ（６）を示す右側面図である。
【図１０】第１の実施の形態による紙幣の流れ（７）を示す右側面図である。
【図１１】第１の実施の形態による紙幣の流れ（８）を示す右側面図である。
【図１２】第１の実施の形態による紙幣の流れ（９）を示す右側面図である。
【図１３】第１の実施の形態による紙幣の流れ（１０）を示す右側面図である。
【図１４】第１の実施の形態による紙幣の流れ（１１）を示す右側面図である。
【図１５】第１の実施の形態による紙幣の流れ（１２）を示す右側面図である。
【図１６】第１の実施の形態による紙幣の流れ（１３）を示す右側面図である。
【図１７】第１の実施の形態による紙幣の流れ（１４）を示す右側面図である。
【図１８】第１の実施の形態による紙幣の流れ（１５）を示す右側面図である。
【図１９】第１の実施の形態による紙幣の流れ（１６）を示す右側面図である。
【図２０】第１の実施の形態による紙幣の流れ（１７）を示す右側面図である。
【図２１】第１の実施の形態による紙幣の流れ（１８）を示す右側面図である。
【図２２】第２の実施の形態による紙幣の流れ（１）を示す右側面図である。
【図２３】第２の実施の形態による紙幣の流れ（２）を示す右側面図である。
【図２４】第２の実施の形態による紙幣の流れ（３）を示す右側面図である。
【図２５】第３の実施の形態による紙幣の流れ（１）を示す右側面図である。
【図２６】第３の実施の形態による紙幣の流れ（２）を示す右側面図である。
【図２７】第３の実施の形態による紙幣の流れ（３）を示す右側面図である。
【図２８】第３の実施の形態による紙幣の流れ（４）を示す右側面図である。
【図２９】第３の実施の形態による紙幣の流れ（５）を示す右側面図である。
【図３０】第３の実施の形態による紙幣の流れ（６）を示す右側面図である。
【図３１】第３の実施の形態による紙幣の流れ（７）を示す右側面図である。
【図３２】第３の実施の形態による紙幣の流れ（８）を示す右側面図である。
【発明を実施するための形態】
【００１５】
以下、発明を実施するための形態（以下実施の形態とする）について、図面を用いて説明する。
【００１６】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行うようになされている。
【００１７】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００１８】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行うようになされている。
【００１９】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉鎖するようになされている。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２０】
筐体２内には、現金自動取引装置１全体を統括制御する主制御部９や、紙幣に関する種々の処理を行う紙幣入出金機１０等が設けられている。
【００２１】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００２２】
筐体２は、前面を覆う前扉２Ａ及び後面を覆う後扉（図示せず）がそれぞれ開閉可能に構成されている。すなわち筐体２は、顧客との間で現金に関する取引を行う取引動作時には、前扉２Ａ等を閉塞することにより、内部に保有している紙幣や硬貨等を保護する。一方筐体２は、金融機関の職員等の保守作業者が紙幣の補充・回収等を行う保守作業時には、必要に応じて前扉２Ａ等を開放することにより、内部の各部に対する作業を容易に行わせ得るようになされている。
【００２３】
［１−２．紙幣入出金機の内部構成］
紙幣入出金機１０は、図２及び図３に示すように、制御部１２が各部（紙幣入出金部１６、搬送部２４、鑑別部１８、一時保留部２０、紙幣収納庫２６（２６ａ、２６ｂ、２６ｃ及び２６ｄ）、リジェクト庫２８、取忘れ回収庫２２及び損券収納庫３０）を統括制御する。制御部１２は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部１４から所定のプログラムを読み出して実行することにより、各部を制御して入金取引や出金取引や記番号確認処理等の種々の処理を行う。また記憶部１４は、鑑別部１８が鑑別した結果や、紙幣を計数した枚数や、紙幣の記番号等を記憶する。
【００２４】
紙幣入出金機１０の内部には、上側に紙幣入出金部１６、紙幣の金種や真偽を判定し記番号を読み取る鑑別部１８及び入金紙幣等を一時的に保留する一時保留部２０等が設けられている。
【００２５】
紙幣入出金部１６は、紙幣を集積して収納する収納空間を有しており、当該収納空間内において前後方向に移動可能なビルプレス３２と、当該収納空間内に一部が突出する繰出ローラ３４とが設けられている。ビルプレス３２と繰出ローラ３４との間の空間、すなわちビルプレス３２の前側の空間は、入出金口５から投入された紙幣や出金取引時に顧客へ払い出す紙幣を収納する。ビルプレス３２の後側の空間は紙幣返却部３６であり、顧客によって投入された紙幣の内、鑑別部１８で偽券や金種不明と鑑別されたリジェクト紙幣を集積する。紙幣入出金部１６は、顧客から投入された紙幣をビルプレス３２によって繰出ローラ３４に押圧し、当該繰出ローラ３４を回転させることにより、紙幣を１枚ずつ分離し搬送部２４へ繰り出す。   
【００２６】
搬送部２４は、図示しないローラやベルト等により、図中太線で示す搬送路に沿って長方形の紙幣を短手方向に搬送する。また搬送部２４の各所には光学式センサ等で構成された検知センサ３８が複数設けられており、搬送されている紙幣の検知、重送や搬送ジャム等の搬送エラーの検知等を行い、その検出結果を制御部１２（図１）へ通知する。制御部１２は、当該検出結果に基づいて紙幣の枚数を計数する。搬送部２４は、鑑別部１８を前後方向に挿通させるように紙幣を搬送し、当該鑑別部１８の後側と一時保留部２０、紙幣入出金部１６、紙幣収納庫２６、損券収納庫３０、取忘れ回収庫２２及びリジェクト庫２８とをそれぞれ接続している。また搬送部２４は、鑑別部１８の前側と一時保留部２０、紙幣入出金部１６、紙幣収納庫２６、損券収納庫３０、取忘れ回収庫２２及びリジェクト庫２８とをそれぞれ接続している。
【００２７】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。また鑑別部１８は、記番号読取部１９により、撮像した紙幣の画像データから、紙幣毎に付与されその紙幣の一面に予め印刷された、紙幣を識別する英数字等で構成された情報である記番号を読み取ると共に、内部を搬送させた紙幣の枚数を計数し、読取結果及び計数結果を制御部１２へ通知するようにもなされている。これに応じて制御部１２は、取得した鑑別結果に基づいて当該紙幣の搬送先を決定する。
【００２８】
一時保留部２０は、入金時に顧客が紙幣入出金部１６へ投入した紙幣を一時的に保留し、鑑別部１８で入金可能と鑑別された正常紙幣を入金が確定するまで一時的に保留する一方、入金不可と鑑別されたリジェクト紙幣を、紙幣入出金部１６へ排出する。また一時保留部２０は、後述する記番号確認処理時において、精査する対象である紙幣を収納している紙幣収納庫２６である精査対象収納庫から他の紙幣収納庫２６へ紙幣を移動させる際にも一時的に当該紙幣を保留する。
【００２９】
また紙幣入出金機１０の内部には、下側に金種別の紙幣収納庫２６と、鑑別部１８においてリジェクト紙幣と鑑別された紙幣を格納する損券収納庫３０と、取引時に顧客が紙幣入出金部１６から取り忘れた紙幣を回収して格納する取忘れ回収庫２２と、５千券や２千券等の還流されない金種の紙幣を格納するリジェクト庫２８とが設けられている。
【００３０】
紙幣収納庫２６は、複数の紙幣収納庫２６ａ〜２６ｄが前後方向に並んで配置されており、上方向に引き抜かれることによりそれぞれ筐体２から着脱可能な着脱式となっている。また紙幣収納庫２６は、収納排出機構により、搬送部２４から搬送されてきた紙幣を取り込んで収納すると共に、収納されている紙幣を排出して搬送部２４へ供給するようになされている。
【００３１】
［１−３．記番号確認処理］
次に、紙幣入出金機１０における記番号確認処理の動作について図４乃至図２１を用いて説明する。この記番号確認処理は、鑑別部１８において未だ記番号が読み取られていない未精査紙幣が紙幣収納庫２６に存在する場合、可能な限り速やかに開始される。
【００３２】
まず制御部１２は、紙幣収納庫２６ｃを精査対象収納庫に設定する。紙幣収納庫２６ｃが精査対象収納庫に設定され記番号確認処理が行われる際、紙幣収納庫２６ｄには紙幣は収納されておらず、空になっている。
【００３３】
制御部１２は、紙幣収納庫２６ｃの収納排出機構により１枚ずつ紙幣を分離して搬送部２４に繰り出し、図４に示すように順次鑑別部１８へ搬送し、鑑別部１８において紙幣の鑑別及び記番号の読み取りを行い、その鑑別結果から正券であることを確認した紙幣を精査済紙幣としてその枚数を計数し、当該精査済紙幣を一時保留部２０へ搬送して集積する。制御部１２は、精査済紙幣の枚数を、鑑別部１８により鑑別された金種に関連づけて記憶部１４に記憶する。一方制御部１２は、鑑別部１８によって正券と鑑別できなかった紙幣であるリジェクト紙幣を損券収納庫３０へと搬送して集積する。また制御部１２は、鑑別部１８で読み取った記番号を記憶部１４に記憶する。
【００３４】
ここで、一時保留部２０に集積可能な紙幣の枚数は紙幣収納庫２６ａ〜２６ｄに収納可能な紙幣枚数に比べて少ない。このため制御部１２は、予め所定枚数（例えば、一時保留部２０に集積可能な紙幣枚数）分の紙幣を紙幣収納庫２６ｃから繰り出し、所定枚数の紙幣を繰り出して一時保留部２０に精査済紙幣を搬送した後は、紙幣収納庫２６ｃからの紙幣の繰り出しを停止し、一時保留部２０に集積している精査済紙幣を図５に示すように紙幣収納庫２６ｄに搬送して収納する。
【００３５】
続いて制御部１２は、紙幣収納庫２６ｃ内の紙幣の繰り出しを再開する。制御部１２は、紙幣収納庫２６ｃから１枚ずつ紙幣を分離して搬送部２４に繰り出し、図６に示すように順次鑑別部１８へ搬送し、鑑別部１８において紙幣の鑑別及び記番号の読み取りを行い、精査済紙幣の枚数を計数し一時保留部２０へ搬送して集積する。制御部１２は、精査済紙幣の枚数をその金種に関連付けて、記憶部１４に記憶している精査済紙幣の枚数に加えて記憶すると共に、鑑別部１８で読み取った記番号を記憶する。
【００３６】
所定枚数の紙幣を紙幣収納庫２６ｃから繰り出して一時保留部２０に精査済紙幣を搬送した後、制御部１２は、紙幣収納庫２６ｃからの紙幣の繰り出しを停止し、一時保留部２０に集積している精査済紙幣を図７に示すように紙幣収納庫２６ｄに搬送して収納する。
【００３７】
続いて制御部１２は、紙幣収納庫２６ｃ内の紙幣の繰り出しを再開し、紙幣収納庫２６ｃから１枚ずつ紙幣を分離して搬送部２４に繰り出し、図８に示すように順次鑑別部１８へ搬送し、鑑別部１８において紙幣の鑑別及び記番号の読み取りを行い、精査済紙幣の枚数を計数し一時保留部２０へ搬送して集積する。制御部１２は、精査済紙幣の枚数をその金種に関連付けて、記憶部１４に記憶している精査済紙幣の枚数に加えて記憶すると共に、鑑別部１８で読み取った記番号を記憶する。
【００３８】
紙幣収納庫２６ｃ内の紙幣がなくなると、制御部１２は、紙幣収納庫２６ｃからの紙幣の繰り出しを停止し、一時保留部２０に集積している精査済紙幣を図９に示すように紙幣収納庫２６ｄに搬送して収納する。
【００３９】
このように制御部１２は、紙幣収納庫２６ｃから紙幣が無くなるまで、所定枚数ずつ紙幣を繰り出して鑑別部１８で紙幣の鑑別、計数、記番号の読み取りを行い、記番号を記憶部１４に記憶し、精査済紙幣を一時保留部２０へと搬送して集積し、その集積した精査済紙幣を紙幣収納庫２６ｄに搬送して収納する。
【００４０】
こうして紙幣収納庫２６ｃ内の紙幣のうち、精査済紙幣は全て紙幣収納庫２６ｄに移動し、リジェクト紙幣は損券収納庫３０へと移動し、紙幣収納庫２６ｃ内は空となる。因みに、損券収納庫３０へと搬送した紙幣については行員が当該損券収納庫３０を紙幣入出金機１０から取り出し、別途記番号読取機により記番号を読み取る。
【００４１】
次に制御部１２は、紙幣収納庫２６ｂを精査対象収納庫に設定する。紙幣収納庫２６ｂが精査対象収納庫に設定される際、紙幣収納庫２６ｃは既に紙幣が収納されていないため空になっている。
【００４２】
制御部１２は、紙幣収納庫２６ｂから１枚ずつ紙幣を分離して搬送部２４に繰り出し、図１０に示すように順次鑑別部１８へ搬送し、鑑別部１８において紙幣の鑑別及び記番号の読み取りを行い、精査済紙幣の枚数を計数し一時保留部２０へ搬送して集積する。制御部１２は、精査済紙幣の枚数をその金種に関連付けて、記憶部１４に記憶している精査済紙幣の枚数に加えて記憶すると共に、鑑別部１８で読み取った記番号を記憶する。
【００４３】
所定枚数の紙幣を紙幣収納庫２６ｂから繰り出して一時保留部２０に精査済紙幣を搬送した後、制御部１２は、紙幣収納庫２６ｂからの紙幣の繰り出しを停止し、一時保留部２０に集積している精査済紙幣を図１１に示すように紙幣収納庫２６ｃに搬送して収納する。
【００４４】
続いて制御部１２は、紙幣収納庫２６ｂ内の紙幣の繰り出しを再開する。制御部１２は、紙幣収納庫２６ｂから１枚ずつ紙幣を分離して搬送部２４に繰り出し、図１２に示すように順次鑑別部１８へ搬送し、鑑別部１８において紙幣の鑑別及び記番号の読み取りを行い、精査済紙幣の枚数を計数し一時保留部２０へ搬送して集積する。制御部１２は、精査済紙幣の枚数をその金種に関連付けて、記憶部１４に記憶している精査済紙幣の枚数に加えて記憶すると共に、鑑別部１８で読み取った記番号を記憶する。
【００４５】
所定枚数の紙幣を紙幣収納庫２６ｂから繰り出して一時保留部２０に精査済紙幣を搬送した後、制御部１２は、紙幣収納庫２６ｂからの紙幣の繰り出しを停止し、一時保留部２０に集積している精査済紙幣を図１３に示すように紙幣収納庫２６ｃに搬送して収納する。
【００４６】
続いて制御部１２は、紙幣収納庫２６ｂ内の紙幣の繰り出しを再開し、紙幣収納庫２６ｂから１枚ずつ紙幣を分離して搬送部２４に繰り出し、図１４に示すように順次鑑別部１８へ搬送し、鑑別部１８において紙幣の鑑別及び記番号の読み取りを行い、精査済紙幣の枚数を計数し一時保留部２０へ搬送して集積する。制御部１２は、精査済紙幣の枚数をその金種に関連付けて、記憶部１４に記憶している精査済紙幣の枚数に加えて記憶すると共に、鑑別部１８で読み取った記番号を記憶する。
【００４７】
紙幣収納庫２６ｂ内の紙幣がなくなると、制御部１２は、紙幣収納庫２６ｂからの紙幣の繰り出しを停止し、一時保留部２０に集積している精査済紙幣を図１５に示すように紙幣収納庫２６ｃに搬送して収納する。
【００４８】
このように制御部１２は、紙幣収納庫２６ｂから紙幣が無くなるまで、所定枚数ずつ紙幣を繰り出して鑑別部１８で紙幣の鑑別、計数、記番号の読み取りを行い、記番号を記憶部１４に記憶し、精査済紙幣を一時保留部２０へと搬送して集積し、その集積した精査済紙幣を紙幣収納庫２６ｃに搬送して収納する。
【００４９】
こうして紙幣収納庫２６ｂ内の紙幣のうち、精査済紙幣は全て紙幣収納庫２６ｃに移動し、リジェクト紙幣は損券収納庫３０へと移動し、紙幣収納庫２６ｂ内は空となる。
【００５０】
次に制御部１２は、紙幣収納庫２６ａを精査対象収納庫に設定する。紙幣収納庫２６ａが精査対象収納庫に設定される際、紙幣収納庫２６ｂは既に紙幣が収納されていないため空になっている。
【００５１】
制御部１２は、紙幣収納庫２６ａから１枚ずつ紙幣を分離して搬送部２４に繰り出し、図１６に示すように順次鑑別部１８へ搬送し、鑑別部１８において紙幣の鑑別及び記番号の読み取りを行い、精査済紙幣の枚数を計数し一時保留部２０へ搬送して集積する。制御部１２は、精査済紙幣の枚数をその金種に関連付けて、記憶部１４に記憶している精査済紙幣の枚数に加えて記憶すると共に、鑑別部１８で読み取った記番号を記憶する。
【００５２】
所定枚数の紙幣を紙幣収納庫２６ａから繰り出して一時保留部２０に精査済紙幣を搬送した後、制御部１２は、紙幣収納庫２６ａからの紙幣の繰り出しを停止し、一時保留部２０に集積している精査済紙幣を図１７に示すように紙幣収納庫２６ｂに搬送して収納する。
【００５３】
続いて制御部１２は、紙幣収納庫２６ａ内の紙幣の繰り出しを再開する。制御部１２は、紙幣収納庫２６ａから１枚ずつ紙幣を分離して搬送部２４に繰り出し、図１８に示すように順次鑑別部１８へ搬送し、鑑別部１８において紙幣の鑑別及び記番号の読み取りを行い、精査済紙幣の枚数を計数し一時保留部２０へ搬送して集積する。制御部１２は、精査済紙幣の枚数をその金種に関連付けて、記憶部１４に記憶している精査済紙幣の枚数に加えて記憶すると共に、鑑別部１８で読み取った記番号を記憶する。
【００５４】
所定枚数の紙幣を紙幣収納庫２６ａから繰り出して一時保留部２０に精査済紙幣を搬送した後、制御部１２は、紙幣収納庫２６ａからの紙幣の繰り出しを停止し、一時保留部２０に集積している精査済紙幣を図１９に示すように紙幣収納庫２６ｂに搬送して収納する。
【００５５】
続いて制御部１２は、紙幣収納庫２６ａ内の紙幣の繰り出しを再開し、紙幣収納庫２６ａから１枚ずつ紙幣を分離して搬送部２４に繰り出し、図２０に示すように順次鑑別部１８へ搬送し、鑑別部１８において紙幣の鑑別及び記番号の読み取りを行い、精査済紙幣の枚数を計数し一時保留部２０へ搬送して集積する。制御部１２は、精査済紙幣の枚数をその金種に関連付けて、記憶部１４に記憶している精査済紙幣の枚数に加えて記憶すると共に、鑑別部１８で読み取った記番号を記憶する。
【００５６】
紙幣収納庫２６ａ内の紙幣がなくなると、制御部１２は、紙幣収納庫２６ａからの紙幣の繰り出しを停止し、一時保留部２０に集積している精査済紙幣を図２１に示すように紙幣収納庫２６ｂに搬送して収納する。
【００５７】
このように制御部１２は、紙幣収納庫２６ａから紙幣が無くなるまで、所定枚数ずつ紙幣を繰り出して鑑別部１８で紙幣の鑑別、計数、記番号の読み取りを行い、記番号を記憶部１４に記憶し、精査済紙幣を一時保留部２０へと搬送して集積し、その集積した精査済紙幣を紙幣収納庫２６ｂに搬送して収納する。
【００５８】
こうして紙幣収納庫２６ａ内の紙幣のうち、精査済紙幣は全て紙幣収納庫２６ｂに移動し、リジェクト紙幣は損券収納庫３０へと移動し、紙幣収納庫２６ａ内は空となる。
【００５９】
このように制御部１２は、精査対象収納庫の紙幣収納庫２６に収納された紙幣の記番号を鑑別部１８で読み取った後一時保留部２０に一旦収納して空の紙幣収納庫２６へ収納し、その後も空の状態の紙幣収納庫２６を作り同様の動作を繰り返すことにより、紙幣収納庫２６ａ、２６ｂ及び２６ｃに収納された全ての紙幣の記番号を記憶部１４に記憶する。
【００６０】
また紙幣入出金機１０は、未精査紙幣が紙幣収納庫２６に存在する場合、記番号確認処理を可能な限り速やかに開始するものの、顧客と入出金取引を行う際は記番号確認処理を中断し、入出金取引が完了すると記番号確認処理を再開する。すなわち紙幣入出金機１０は、入出金取引時を行っていない空き時間に記番号確認処理を行う。
【００６１】
このように紙幣入出金機１０は、記番号確認処理を可能な限り速やかに開始することにより、行員が紙幣収納庫２６を紙幣入出金機１０から取り外してしまう時点よりも早く未精査紙幣の記番号を読み取ることができ、且つ入出金取引を行う際は記番号確認処理を中断することにより、入出金取引時において取り扱われる紙幣と記番号確認処理において搬送される紙幣とが混ざらないようにすることができる。
【００６２】
さらに紙幣入出金機１０は、出金取引の際、精査済紙幣よりも未精査紙幣の方を優先して出金する。ここで、出金取引の際は紙幣が鑑別部１８を一旦通過するため、当該鑑別部１８において記番号を読み取ることができる。このため紙幣入出金機１０は、未精査紙幣を精査済紙幣よりも優先して出金することにより、当該未精査紙幣に対し記番号確認処理を行うことなく、当該未精査紙幣の記番号を確認することができる。
【００６３】
さらに紙幣入出金機１０は、入金取引の際、入金された紙幣を、未精査紙幣が収納された紙幣収納庫２６へは収納せず、精査済紙幣が収納された紙幣収納庫２６へ収納する。これにより紙幣入出金機１０は、入金され鑑別部１８を通過し記番号が読み取られた紙幣が未精査紙幣と混ざってしまうことを防止できる。
【００６４】
［１−４．効果］
以上の構成において紙幣入出金機１０は、精査対象収納庫の紙幣収納庫２６から紙幣を他の空の紙幣収納庫２６に移動させつつ鑑別部１８を通過させ、鑑別部１８において記番号を読み取るようにした。
【００６５】
現金自動取引装置１が設置される国によっては、中央銀行から各金融機関に対して記番号を管理するよう要請される場合があり、現金自動取引装置１は、そのような国に設置された場合において記番号を管理できる。
【００６６】
以上の構成によれば紙幣入出金機１０は、紙幣を収納する紙幣収納庫２６と、紙幣に付された固有の識別情報としての記番号を読み取る記番号読取部１９と、精査対象収納庫の紙幣収納庫２６から紙幣を記番号読取部１９へ搬送し記番号を読み取った後に他の紙幣収納庫２６に移動させる記番号確認処理を行う制御部１２とを設けるようにした。これにより紙幣入出金機１０は、紙幣収納庫２６に収納された紙幣の記番号を迅速に把握することができる。
【００６７】
［２．第２の実施の形態］
［２−１．紙幣入出金機の構成］
図１及び図２に示すように、第２の実施の形態による現金自動取引装置１０１の紙幣入出金機１１０は、第１の実施の形態による現金自動取引装置１の紙幣入出金機１０と比べて、制御部１１２が制御部１２と異なっているものの、それ以外は同様に構成されている。
【００６８】
［２−２．記番号確認処理］
次に、紙幣入出金機１１０における記番号確認処理の動作について図２２乃至図２４を用いて説明する。図２２に示すように紙幣入出金機１１０は、紙幣入出金機１０とは異なり、紙幣収納庫２６ｄは予め空になっておらず紙幣が収納された状態となっている。また、紙幣収納庫２６ｃに収納されている紙幣は全て精査済紙幣であり、紙幣収納庫２６ｃと紙幣収納庫２６ｄとに収納されている紙幣の金種は同一であるとする。
【００６９】
制御部１１２は、紙幣収納庫２６ｄから１枚ずつ紙幣を分離して搬送部２４に繰り出し、図２３に示すように順次鑑別部１８へ搬送し、鑑別部１８において紙幣の鑑別及び記番号の読み取りを行い、精査済紙幣の枚数を計数し一時保留部２０へ搬送して集積する。制御部１１２は、精査済紙幣の枚数を、鑑別部１８により鑑別された金種に関連づけて記憶部１４に記憶する一方、リジェクト紙幣を損券収納庫３０へと搬送して集積する。また制御部１２は、鑑別部１８で読み取った記番号を記憶部１４に記憶する。
【００７０】
紙幣収納庫２６ｄ内の紙幣がなくなると、制御部１１２は、紙幣収納庫２６ｄからの紙幣の繰り出しを停止し、一時保留部２０に集積している精査済紙幣を図２４に示すように紙幣収納庫２６ｃに搬送して精査済紙幣の上に収納する。
【００７１】
こうして紙幣収納庫２６ｄ内の紙幣が紙幣収納庫２６ｃに移動し紙幣収納庫２６ｄ内が空となると、制御部１１２は、紙幣収納庫２６ｂを精査対象収納庫に設定し、上述した第１の実施の形態による記番号確認処理とほぼ同様の処理を行う。すなわち、紙幣収納庫２６ｃには精査済紙幣のみが収納されているため、紙幣収納庫２６ｃ内の紙幣を移動させつつ記番号を確認する必要はない。このため制御部１１２は、紙幣収納庫２６ｂの紙幣を紙幣収納庫２６ｄに移動させつつ記番号を確認した後、紙幣収納庫２６ａの紙幣を空になった紙幣収納庫２６ｂに移動させつつ記番号を確認する。
【００７２】
このように紙幣入出金機１１０は、空の紙幣収納庫２６が存在しない場合、例えば収納されている紙幣の枚数が最も少ない紙幣収納庫２６から、精査済紙幣が収納された紙幣収納庫２６へ一旦紙幣を移動させ、空になった当該紙幣収納庫２６へ精査対象収納庫から紙幣を移動させつつ記番号を確認するようにした。
【００７３】
これにより紙幣入出金機１１０は、１つの紙幣収納庫２６を予め空にしておかなくても、紙幣収納庫２６に収納された紙幣の記番号を把握することができる。
【００７４】
その他第２の実施の形態による紙幣入出金機１１０は、第１の実施の形態による紙幣入出金機１０とほぼ同様の作用効果を奏する。
【００７５】
［３．第３の実施の形態］
［３−１．紙幣入出金機の構成］
図１及び図２に示すように、第３の実施の形態による現金自動取引装置２０１の紙幣入出金機２１０は、第１の実施の形態による現金自動取引装置１の紙幣入出金機１０と比べて、制御部２１２が制御部１２と異なっているものの、それ以外は同様に構成されている。
【００７６】
［３−２．記番号確認処理］
次に、紙幣入出金機２１０における記番号確認処理の動作について図２５乃至図３２を用いて説明する。図２５に示すように紙幣入出金機２１０は、紙幣入出金機１０とは異なり、紙幣収納庫２６ｄは予め空になっておらず紙幣が収納された状態となっている。また、紙幣収納庫２６ｃに収納されている紙幣は全て未精査紙幣であり、紙幣収納庫２６ｃと紙幣収納庫２６ｄとに収納されている紙幣の金種は異なるものであるとする。
【００７７】
制御部２１２は、紙幣収納庫２６ｄから１枚ずつ紙幣を分離して搬送部２４に繰り出し、図２６に示すように順次鑑別部１８へ搬送し、鑑別部１８において紙幣の鑑別及び記番号の読み取りを行い、精査済紙幣の枚数を計数し一時保留部２０へ搬送して集積する。制御部２１２は、精査済紙幣の枚数を、鑑別部１８により鑑別された金種に関連づけて記憶部１４に記憶する一方、リジェクト紙幣を損券収納庫３０へと搬送して集積する。また制御部２１２は、鑑別部１８で読み取った記番号を記憶部１４に記憶する。
【００７８】
紙幣収納庫２６ｄ内の紙幣がなくなると、制御部２１２は、紙幣収納庫２６ｄからの紙幣の繰り出しを停止し、一時保留部２０に集積している精査済紙幣を図２７に示すように紙幣収納庫２６ｃに搬送して未精査紙幣の上に収納する。これにより、紙幣収納庫２６ｃには元々収納している金種の紙幣の上に紙幣収納庫２６ｄに収納されていた紙幣が収納されて２種類の金種の紙幣が混在する一方、紙幣収納庫２６ｄは空の状態となる。
【００７９】
制御部２１２は、紙幣収納庫２６ｃに移した紙幣（以下では移動紙幣とも呼ぶ）を検知センサ３８によって検知し、その検知した回数をもとに移動紙幣の枚数を計数し、計数した移動紙幣の枚数を記憶部１４に記憶する。
【００８０】
こうして紙幣収納庫２６ｄ内の紙幣が紙幣収納庫２６ｃに移動し紙幣収納庫２６ｄ内が空となると、制御部２１２は、紙幣収納庫２６ｂを精査対象収納庫に設定し、紙幣収納庫２６ｂから紙幣が無くなるまで、所定枚数ずつ紙幣を繰り出して鑑別部１８で紙幣の鑑別、計数、記番号の読み取りを行い、精査済紙幣を一時保留部２０へと搬送して集積し、その集積した精査済紙幣を図２８に示すように紙幣収納庫２６ｄに搬送して収納する。また制御部２１２は、鑑別部１８で読み取った記番号を記憶部１４に記憶する。
【００８１】
紙幣収納庫２６ｂ内の紙幣が紙幣収納庫２６ｄに移動し紙幣収納庫２６ｂ内が空となると、制御部２１２は、紙幣収納庫２６ａを精査対象収納庫に設定し、紙幣収納庫２６ａから紙幣が無くなるまで、所定枚数ずつ紙幣を繰り出して鑑別部１８で紙幣の鑑別、計数、記番号の読み取りを行い、精査済紙幣を一時保留部２０へと搬送して集積し、その集積した精査済紙幣を図２９に示すように紙幣収納庫２６ｂに搬送して収納する。また制御部２１２は、鑑別部１８で読み取った記番号を記憶部１４に記憶する。
【００８２】
紙幣収納庫２６ａ内の紙幣が紙幣収納庫２６ｂに移動し紙幣収納庫２６ａ内が空となると、制御部２１２は、紙幣収納庫２６ｃから移動紙幣の枚数分だけ紙幣を繰り出して図３０に示すように紙幣収納庫２６ｄに搬送して精査済紙幣の上に収納する。このとき制御部２１２は、紙幣収納庫２６ｃから繰り出した紙幣を、鑑別部１８を介さずに紙幣収納庫２６ｄに搬送する。これにより、紙幣収納庫２６ｃに一時的に収納された精査済みの移動紙幣が全て紙幣収納庫２６ｄに移動する。
【００８３】
紙幣収納庫２６ｃ内の移動紙幣が紙幣収納庫２６ｄに移動すると、制御部２１２は、紙幣収納庫２６ｃを精査対象収納庫に設定し、紙幣収納庫２６ｃから紙幣が無くなるまで、所定枚数ずつ紙幣を繰り出して鑑別部１８で紙幣の鑑別、計数、記番号の読み取りを行い、精査済紙幣を一時保留部２０へと搬送して集積し、その集積した精査済紙幣を図３１に示すように紙幣収納庫２６ａに搬送して収納する。また制御部２１２は、鑑別部１８で読み取った記番号を記憶部１４に記憶する。
【００８４】
紙幣収納庫２６ｃ内の紙幣が紙幣収納庫２６ａに移動し紙幣収納庫２６ｃ内が空となると、制御部２１２は、紙幣収納庫２６ｄから移動紙幣の枚数分だけ紙幣を繰り出して図３２に示すように紙幣収納庫２６ｃに搬送して収納する。このとき制御部２１２は、紙幣収納庫２６ｄから繰り出した紙幣を、鑑別部１８を介さずに紙幣収納庫２６ｃに搬送する。
【００８５】
このように紙幣入出金機２１０は、空の紙幣収納庫２６が存在しない場合、例えば収納されている紙幣の枚数が最も少ない紙幣収納庫２６から、未精査紙幣が収納された紙幣収納庫２６へ一旦紙幣を移動させ、その移動紙幣の枚数を記憶しておき、当該未精査紙幣の記番号を確認する際は、当該移動紙幣を一旦他の紙幣収納庫２６へ移動させた上で当該未精査紙幣を移動させつつ記番号を確認するようにした。
【００８６】
これにより紙幣入出金機２１０は、１つの紙幣収納庫２６を予め空にしておく必要なく、さらに精査済紙幣のみが収納された紙幣収納庫２６を用意する必要もなく、紙幣収納庫２６に収納された紙幣の記番号を把握することができる。
【００８７】
その他第３の実施の形態による紙幣入出金機２１０は、第１の実施の形態による紙幣入出金機１０とほぼ同様の作用効果を奏する。
【００８８】
［４．他の実施の形態］
なお上述した実施の形態においては入金取引時、入金された紙幣を、未精査紙幣が収納された紙幣収納庫２６へは収納せず、精査済紙幣が収納された紙幣収納庫２６へ収納する場合について述べた。本発明はこれに限らず、未精査紙幣が収納された紙幣収納庫２６への収納を禁止するまではせず、入金された紙幣を未精査紙幣が収納された紙幣収納庫２６よりも精査済紙幣が収納された紙幣収納庫２６の方へ優先して収納するようにしても良い。
【００８９】
また上述した実施の形態においては、一方の紙幣収納庫２６から他方の紙幣収納庫２６へ紙幣を移動させる際、一時保留部２０に紙幣を保留させる場合について述べた。本発明はこれに限らず、取忘れ回収庫２２、紙幣収納庫２６、リジェクト庫２８又は紙幣入出金部１６等、紙幣を収納できる種々の機構に紙幣を保留しても良い。特に紙幣入出金部１６に紙幣を保留する場合、ビルプレス３２を収納空間の後端へ移動させた上で当該ビルプレス３２と繰出ローラ３４との間に紙幣を集積した後、ビルプレス３２を繰出ローラ３４に押圧して当該繰出ローラ３４を回転させることにより、紙幣を搬送部２４へ繰り出せば良い。
【００９０】
さらに上述した実施の形態においては、リジェクト紙幣を損券収納庫３０へ格納しておく場合について述べた。本発明はこれに限らず、リジェクト紙幣を例えば紙幣入出金部１６に一時的に集積して再び鑑別部１８へ搬送することにより再鑑別を行っても良い。
【００９１】
さらに本発明においては、前扉２Ａが開放された場合、すなわち紙幣収納庫２６が行員により紙幣入出金機１０から取り外されようとしている場合は、未精査紙幣が収納されている紙幣収納庫２６と精査済紙幣が収納されている紙幣収納庫２６とを明示的に区別して例えば操作表示部６に提示したり、未精査紙幣が収納されている紙幣収納庫２６は取り外し禁止であると操作表示部６に提示したり、未精査紙幣が収納されている紙幣収納庫２６を筐体２にロックし取り外し不可としたりしても良い。又は、未精査紙幣が収納されている紙幣収納庫２６が取り外されようとしている場合に、当該紙幣収納庫２６を精査対象収納庫として記番号確認処理を行っても良い。これにより紙幣入出金機１０は、未だ記番号が把握できていない紙幣を当該紙幣入出金機１０の外部へ流出させてしまうことを防止できる。
【００９２】
さらに本発明においては、鑑別部１８において偽券であると鑑別された紙幣を格納する偽券取込庫を例えば紙幣収納庫２６及び損券収納庫３０と一時保留部２０との間に配置しても良い。
【００９３】
さらに上述した実施の形態においては、紙幣を取引する現金自動取引装置１、１０１及び２０１において本発明を適用する場合について述べた。本発明はこれに限らず、例えば債権、証書、商品券、金券や入場券等のような薄い紙状の媒体を取り扱う種々の装置に適用しても良い。
【００９４】
また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００９５】
さらに上述した実施の形態においては、入金取引及び出金取引を行う現金自動取引装置に本発明を適用する場合について述べたが、出金取引のみを行う装置に本発明を適用しても良い。
【００９６】
さらに上述した実施の形態においては、収納庫としての紙幣収納庫２６と、識別情報読取部としての記番号読取部１９と、制御部としての制御部１２、１１２及び２１２とによって、紙幣処理装置としての紙幣入出金機１０、１１０及び２１０を構成する場合について述べた。本発明はこれに限らず、その他種々の構成でなる収納庫と、識別情報読取部と、制御部とによって、紙幣処理装置を構成しても良い。
【００９７】
さらに上述した実施の形態においては、接客部としての接客部３と、収納庫としての紙幣収納庫２６と、識別情報読取部としての記番号読取部１９と、制御部としての制御部１２、１１２及び２１２とによって、紙幣取引装置としての現金自動取引装置１、１０１及び２０１を構成する場合について述べた。本発明はこれに限らず、その他種々の構成でなる接客部と、収納庫と、識別情報読取部と、制御部とによって、紙幣取引装置を構成しても良い。
【産業上の利用可能性】
【００９８】
本発明は、媒体に付された識別情報を読み取る種々の装置でも利用できる。
【符号の説明】
【００９９】
１、１０１、２０１……現金自動取引装置、２……筐体、３……接客部、４……カード入出口、５……入出金口、６……操作表示部、７……テンキー、８……レシート発行口、……主制御部、１０、１１０、２１０……紙幣入出金機、１２、１１２、２１２……制御部、１４……記憶部、１６……紙幣入出金部、１８……鑑別部、１９……記番号読取部、２０……一時保留部、２２……取忘れ回収庫、２４……搬送部、２６……紙幣収納庫、２８……リジェクト庫、３０……損券収納庫、３２……ビルプレス、３４……繰出ローラ、３６……紙幣返却部、３８……検知センサ。
【図１】
2015138284.tif 000003
【図２】
2015138284.tif 000004
【図３】
2015138284.tif 000005
【図４】
2015138284.tif 000006
【図５】
2015138284.tif 000007
【図６】
2015138284.tif 000008
【図７】
2015138284.tif 000009
【図８】
2015138284.tif 000010
【図９】
2015138284.tif 000011
【図１０】
2015138284.tif 000012
【図１１】
2015138284.tif 000013
【図１２】
2015138284.tif 000014
【図１３】
2015138284.tif 000015
【図１４】
2015138284.tif 000016
【図１５】
2015138284.tif 000017
【図１６】
2015138284.tif 000018
【図１７】
2015138284.tif 000019
【図１８】
2015138284.tif 000020
【図１９】
2015138284.tif 000021
【図２０】
2015138284.tif 000022
【図２１】
2015138284.tif 000023
【図２２】
2015138284.tif 000024
【図２３】
2015138284.tif 000025
【図２４】
2015138284.tif 000026
【図２５】
2015138284.tif 000027
【図２６】
2015138284.tif 000028
【図２７】
2015138284.tif 000029
【図２８】
2015138284.tif 000030
【図２９】
2015138284.tif 000031
【図３０】
2015138284.tif 000032
【図３１】
2015138284.tif 000033
【図３２】
2015138284.tif 000034